(57)【要約】      （修正有）【課題】現場でレーザーモジュールを保持する吊下体の傾きを簡単に調節することができるレーザー墨出し器を提供する。【解決手段】吊下体１９左下がりとなる方向へ傾いている場合には、正確なレーザーラインを形成することができない。そこで、レンチＷを左側の工具挿入穴３９から挿入し、貫通穴２９へ入れて、移動錘３３の六角穴３７へ嵌める。そして、レンチＷを回して、移動錘３３を右方向へ移動させて、吊下体１９の重心を調節することによって吊下体１９を鉛直な姿勢とする。【選択図】図３
2008014692.tif 000002
【特許請求の範囲】
【請求項１】
レーザーモジュールを保持する吊下体と、前記吊下体を揺動自在に吊り下げる吊り下げ手段とを有するレーザー墨出し器において、前記吊り下げ手段によって吊下体が鉛直に吊り下げられる状態となるように吊下体の重心を調節する重心調節手段を備えたことを特徴とするレーザー墨出し器。
【請求項２】
請求項１に記載したレーザー墨出し器において、重心調節手段は吊下体に形成され、前記吊下体を左右方向に貫通する貫通穴と、前記貫通穴に収容され、左右方向へ移動できる移動錘とによって構成されていることを特徴とするレーザー墨出し器。
【請求項３】
請求項２に記載したレーザー墨出し器において、貫通穴の内周面には雌ネジが形成され、移動錘は外周面に前記雌ネジに螺合する雄ネジが形成され前記貫通穴内を回転しながら左右方向へ移動するものであることを特徴とするレーザー墨出し器。
【請求項４】
請求項３に記載したレーザー墨出し器において、移動錘の両端面には前記移動錘を回転させるための工具を連結する工具連結部が設けられていることを特徴とするレーザー墨出し器。
【請求項５】
請求項３または４に記載したレーザー墨出し器において、吊下体はカバーによって覆われており、前記カバーには吊下体に形成された貫通穴に対応する工具挿入穴が形成されていることを特徴とするレーザー墨出し器。
【発明の詳細な説明】
【技術分野】
【０００１】
本発明はレーザー墨出し器に係り、特にジャイロを介して揺動自在に支持される吊下体にレーザーモジュールが保持されているレーザー墨出し器に関するものである。
【背景技術】
【０００２】
特許文献１に記載されたレーザー墨出し器には、ジャイロ取付台の上部にジャイロが設けられ、このジャイロにレーザーモジュールを支持する吊下体を揺動自在に吊り下げている。そして、吊下体の揺動停止によって得られる鉛直姿勢を基準として、レーザーモジュールからレーザー光を照射し正確な墨出しラインを得ている。従って、正確な墨出しラインを得るためには、吊下体を鉛直姿勢にする必要がある。
【０００３】
この種のレーザー墨出し器は精密機器である反面、種々の工事現場において使用するものであるため、持ち運ぶ際に衝撃が加わったり、或いは現場で設置してから倒してしまったりして、吊下体の姿勢制御構造に狂いが生じてしまい、吊下体が傾いてしまうことも珍しくない。
【０００４】
【特許文献１】特開２００６−１１３０３３号公報
【発明の開示】
【発明が解決しようとする課題】
【０００５】
しかしながら、従来のレーザー墨出し器は、吊下体の傾きを調節するためには姿勢制御構造を分解しなくてはならず、現場で吊下体の傾きを調節することはできないという問題がある。現場で吊下体が傾いてしまうと、正確な墨出しラインを得ることができず、工事そのものができなくなってしまうことになる。
本発明は上記従来の問題点に着目して為されたものであり、現場でレーザーモジュールを保持する吊下体の傾きを簡単に調節することができるレーザー墨出し器を提供することを、その目的とする。
【課題を解決するための手段】
【０００６】
本発明は上記課題を解決するためになされたものであり、請求項１の発明は、レーザーモジュールを保持する吊下体と、前記吊下体を揺動自在に吊り下げる吊り下げ手段とを有するレーザー墨出し器において、前記吊り下げ手段によって吊下体が鉛直に吊り下げられる状態となるように吊下体の重心を調節する重心調節手段を備えたことを特徴とするレーザー墨出し器である。
【０００７】
請求項２の発明は、請求項１に記載したレーザー墨出し器において、重心調節手段は吊下体に形成され、前記吊下体を左右方向に貫通する貫通穴と、前記貫通穴に収容され、左右方向へ移動できる移動錘とによって構成されていることを特徴とするレーザー墨出し器である。
【０００８】
請求項３の発明は、請求項２に記載したレーザー墨出し器において、貫通穴の内周面には雌ネジが形成され、移動錘は外周面に前記雌ネジに螺合する雄ネジが形成され前記貫通穴内を回転しながら左右方向へ移動するものであることを特徴とするレーザー墨出し器である。
【０００９】
請求項４の発明は、請求項３に記載したレーザー墨出し器において、移動錘の両端面には前記移動錘を回転させるための工具を連結する工具連結部が設けられていることを特徴とするレーザー墨出し器である。
【００１０】
請求項５の発明は、請求項３または４に記載したレーザー墨出し器において、吊下体はカバーによって覆われており、前記カバーには吊下体に形成された貫通穴に対応する工具挿入穴が形成されていることを特徴とするレーザー墨出し器である。
【発明の効果】
【００１１】
本発明のレーザー墨出し器によれば、現場でレーザーモジュールを保持する吊下体の傾きを簡単に調節することができるようになる。
【発明を実施するための最良の形態】
【００１２】
本発明の実施の形態に係るレーザー墨出し器１を図面にしたがって説明する。
符号３はベース板を示し、このベース板３の下面には３つの脚部５が設けられている。脚部５はベース板３の前端部に１つ、後端部に２つ配置されており、それぞれ高さ調節できるようになっている。
【００１３】
ベース板３上にはカバー７が取り付けられており、このカバー７の前面には傾斜部９が形成されている。この傾斜部９には窓１１が形成されている。
カバー７内には軸支持ブロック１３，１５が図示しない支持部に固定されて備えられており、軸支持ブロック１３，１５は前後に間隔をあけて配置されている。軸支持ブロック１３，１５には軸１７が渡設されており、軸１７の両端部は軸支持ブロック１３，１５にそれぞれ固定されている。
【００１４】
符号１９は吊下体を示し、この吊下体１９はある程度の重量を有する鋳造された金属によって構成されている。吊下体１９の上端部には軸受２１が固定されており、この軸受２１には前後方向へ貫通する軸挿通孔２３が設けられている。軸挿通孔２３には、軸支持ブロック１３，１５に渡設された軸１７が挿通され、これにより吊下体１９は軸１７に揺動自在に支持されている。吊下体１９の重心は、揺動自在に吊り下げられて揺動が停止すると鉛直な姿勢となるように設定されている。
吊下体１９の前面にはレーザーモジュール２５が保持されており、このレーザーモジュール２５の照射口２７は窓１１に対向している。レーザーモジュール２５の照射口２７から照射されるレーザー光は、吊下体１９が鉛直な姿勢となると正確なレーザーラインを形成する。
【００１５】
吊下体１９には左右方向へ貫通する貫通穴２９が設けられており、この貫通穴２９の内周面には雌ネジ３１が形成されている。貫通穴２９には移動錘３３が収容されている。この移動錘３３の外周面には雄ネジ３５が形成されて、この雄ネジ３５は貫通穴２９の雌ネジ３１に螺合している。移動錘３３の両端面には工具としての六角レンチＷが嵌合する工具連結部としての六角穴３７が形成されている。
これら貫通穴２９、雌ネジ３１、移動錘３３、雄ネジ３５によって重心調節手段が構成されている。
【００１６】
カバー７の両側面には工具挿入穴３９が形成されており、この工具挿入穴３９は吊下体１９の貫通穴２９に対向している。
なお、レーザー墨出し器１には図示しない吊下体ロック機構が設けられ、この吊下体ロック機構によって吊下体１９は固定されている。
【００１７】
次に、このレーザー墨出し器１の使用方法について説明する。
レーザー墨出し器１を施工現場の床等に設置し、３つの脚部５の高さ調節して、レーザー墨出し器１を水平な姿勢にする。
そして、吊下体ロック機構によるロックを解除して、吊下体１９を揺動可能な状態とする。吊下体１９は移動錘３３が貫通穴２９の中央に位置している状態で、揺動が停止すると鉛直な姿勢となるように設定されているので、吊下体１９が停止すれば鉛直姿勢となる。この鉛直姿勢となったところで、スイッチ４１をオンにしてレーザーモジュール２５の照射口２７からレーザー光を照射する。このレーザー光が窓１１を通って外部へ照射されて施工を行う箇所に正確なレーザーラインが形成される。
【００１８】
前記作業においてレーザー墨出し器１を水平な姿勢にしても、図３（ａ）、図３（ｂ）に示すように吊下体１９の重心が何らかの理由で狂ってしまい、吊下体１９の左下がりとなる方向へ傾いている場合には、正確なレーザーラインを形成することができない。
そこで、レンチＷを左側の工具挿入穴３９から挿入し、貫通穴２９へ入れて、貫通穴２９の中央に位置している移動錘３３の六角穴３７へ嵌める。そして、レンチＷを回して、移動錘３３を図４（ａ）、図４（ｂ）に示すように右方向へ移動させて、吊下体１９の重心を右側に寄せるように調節することによって図４に示すように吊下体１９を鉛直な姿勢とする。これにより正確なレーザーラインを形成することが可能となる。
【００１９】
吊下体１９が右下がりとなる方向へ傾いている場合には、レンチＷを右側の工具挿入穴３９から挿入し、上記と同様な作業によって、移動錘３３を左方向へ移動させて、吊下体１９を鉛直な姿勢となるように調整を行う。
このようにレーザー墨出し器１では、現場でレーザーモジュール２５を保持する吊下体１９の傾きを簡単に調節することが可能である。
【００２０】
以上、本発明の実施の形態について詳述してきたが、具体的構成は、この実施の形態に限られるものではなく、本発明の要旨を逸脱しない範囲における設計の変更などがあっても発明に含まれる。
例えば、雄ネジ３５と雌ネジ３１とを螺合させることによって、移動錘３３が貫通穴２９において移動可能としているが、本発明はこれに限定されず、雄ネジ３５と雌ネジ３１の双方とも設けずに、移動錘３３の外周面と貫通穴２９の内周面とが摺接して、移動錘３３が貫通穴２９内を移動できる構成としてもよい。この場合には工具を貫通穴２９へ挿入して、移動錘３３を押すことによって移動させる。
【産業上の利用可能性】
【００２１】
本発明のレーザー墨出し器は、建築工事現場においてタイル貼り、壁紙の貼付等の施工を行う際の基準線をレーザーラインによって形成することができ、更に建築工事だけでなく各種部材の切断部分となる基準線の形成等に利用可能である。
【図面の簡単な説明】
【００２２】
【図１】本発明の実施の形態に係るレーザー墨出し器の斜視図である。
【図２】図１のＡ−Ａ断面図である。
【図３】図１のレーザー墨出し器の吊下体の傾きの調節を説明するための図である。
【図４】図１のレーザー墨出し器の吊下体の傾きの調節を説明するための図である。
【符号の説明】
【００２３】
１  レーザー墨出し器      ３  ベース板      ５  脚部
７  カバー      ９  傾斜部      １１  窓
１３，１５  軸支持ブロック      １７  軸      １９  吊下体
２１  軸受      ２３  軸挿通孔      ２５  レーザーモジュール
２７  照射口      ２９  貫通穴      ３１  雌ネジ
３３  移動錘      ３５  雄ネジ      ３７  六角穴
３９  工具挿入穴      ４１  スイッチ      Ｗ  レンチ
【図１】
2008014692.tif 000003
【図２】
2008014692.tif 000004
【図３】
2008014692.tif 000005
【図４】
2008014692.tif 000006